(57)【要約】【課題】空調エリアの快適性を保ちながら不要な送風は停止して消費電力量を削減する空気調和システムを得る。【解決手段】周辺の温度を検出する２台の無線計測端末２４ａ、２４ｂが、空調エリア２１内において人が滞在する場所、例えば、机２７等の上に設置した。【選択図】図２
2011149615.tif 000002
【特許請求の範囲】
【請求項１】
圧縮機、四方弁及び室外熱交換器を有する室外機と、
膨張装置、室内熱交換器、室内送風機及び制御装置を有する１台以上の室内機と、
前記圧縮機、前記四方弁、前記室外熱交換器、前記膨張装置及び前記室内熱交換器を冷媒配管によって環状に接続した冷媒回路と、
空調エリアの温度（以下、「エリア内温度」という）を検出する計測端末と、
前記計測端末によって検出された前記エリア内温度を受信して前記制御装置に送信する設定端末と、
を備え、
前記制御装置は、前記設定端末から受信した前記エリア内温度と目標温度との比較処理（以下、「サーモ判定処理」という）の結果に基づいて、前記膨張装置の開度を増加させて前記冷媒回路の冷媒の循環量を増加させ（以下、この状態を「サーモオン」という）、前記室内送風機を動作させ、あるいは、前記膨張装置の開度を減少若しくは閉じた状態として前記冷媒回路の冷媒の循環量を減少、若しくは冷媒の循環を停止させ（以下、この状態を「サーモオフ」という）る
ことを特徴とする空気調和システム。
【請求項２】
前記制御装置は、
冷房運転時、前記サーモ判定処理として、前記エリア内温度が前記目標温度に一定値を加算した値以上であるか否か、又は、前記エリア内温度が前記目標温度から一定値を減算した値未満であるか否かを判定し、
該判定の結果、前記エリア内温度が前記目標温度に一定値を加算した値以上である場合、前記サーモオンの状態にし、前記エリア内温度が前記目標温度から一定値を減算した値未満である場合、前記サーモオフの状態にする
ことを特徴とする請求項１記載の空気調和システム。
【請求項３】
前記制御装置は、
暖房運転時、前記サーモ判定処理として、前記エリア内温度が前記目標温度から一定値を減算した値以下であるか否か、又は、前記エリア内温度が前記目標温度に一定値を加算した値より大きいか否かを判定し、
該判定の結果、前記エリア内温度が前記目標温度から一定値を減算した値以下である場合、前記サーモオンの状態とし、前記エリア内温度が前記目標温度に一定値を加算した値より大きい場合、前記サーモオフの状態とする
ことを特徴とする請求項１又は請求項２記載の空気調和システム。
【請求項４】
前記制御装置は、前記サーモオフの状態である場合、前記室内送風機を停止させる
ことを特徴とする請求項１〜請求項３のいずれかに記載の空気調和システム。
【請求項５】
前記室内機は、吸込口から吸い込まれる空気の温度（以下、「対象温度」という）を検出する吸込空気温度検出手段を備え、
前記制御装置は、
前記サーモオフの状態であるか否かの判定処理（以下、「サーモオフ状態判定処理」という）を実施し、
前記サーモオフの状態であると判定した場合は、前記吸込空気温度検出手段によって検出された前記対象温度と前記エリア内温度との比較処理（以下、「送風機駆動判定処理」という）を実施し、
冷房運転時において、前記送風機駆動判定処理の結果、前記エリア内温度が前記対象温度以上であると判定した場合、前記室内送風機を動作させ、前記エリア内温度が前記対象温度未満であると判定した場合、前記室内送風機を停止させ、
暖房運転時において、前記送風機駆動判定処理の結果、前記エリア内温度が前記対象温度以下であると判定した場合、前記室内送風機を動作させ、前記エリア内温度が前記対象温度より大きいと判定した場合、前記室内送風機を停止させる
ことを特徴とする請求項１〜請求項３のいずれかに記載の空気調和システム。
【請求項６】
前記室内機は、前記室内熱交換器における前記膨張装置への接続側の流出入口近傍に設置され、前記室内熱交換器に流出入する冷媒の温度（以下、「対象温度」という）を検出する液管温度検出手段を備え、
前記制御装置は、
前記サーモオフの状態であるか否かの判定処理（以下、「サーモオフ状態判定処理」という）を実施し、
冷房運転時、前記サーモオフの状態であると判定した場合は、前記液管温度検出手段によって検出された前記対象温度と所定温度との比較処理（以下、「送風機駆動判定処理」という）を実施し、該送風機駆動判定処理の結果、前記対象温度が前記所定温度未満であると判定した場合、前記室内送風機を動作させ、前記対象温度が前記所定温度未満でないと判定した場合、前記室内送風機を停止させる
ことを特徴とする請求項１〜請求項３のいずれかに記載の空気調和システム。
【請求項７】
前記室内機は、前記室内熱交換器における前記膨張装置への接続側と反対側の流出入口近傍に設置され、前記室内熱交換器に流出入する冷媒の温度（以下、「対象温度」という）を検出するガス管温度検出手段を備え、
前記制御装置は、
前記サーモオフの状態であるか否かの判定処理（以下、「サーモオフ状態判定処理」という）を実施し、
暖房運転時、前記サーモオフの状態であると判定した場合は、前記ガス管温度検出手段によって検出された前記対象温度と所定温度との比較処理（以下、「送風機駆動判定処理」という）を実施し、該送風機駆動判定処理の結果、前記対象温度が前記所定温度より大きいと判定した場合、前記室内送風機を動作させ、前記対象温度が前記所定温度未満であると判定した場合、前記室内送風機を停止させる
ことを特徴とする請求項１〜請求項３のいずれかに記載の空気調和システム。
【請求項８】
前記制御装置は、
前記サーモオンの状態から前記サーモオフの状態に切り替えられてからの経過時間を計測するタイマーを有し、
前記サーモオンの状態に切り替えた場合、サーモ状態フラグをＯＮとし、
前記サーモオフの状態に切り替えた場合、前記サーモ状態フラグがＯＮであるかＯＦＦであるかを判定（以下、「サーモ状態フラグ判定処理」という）し、その判定の結果、前記サーモ状態フラグがＯＮである場合は、前記タイマーに０から前記経過時間を計測開始させ、前記サーモ状態フラグをＯＦＦとし、
前記サーモオフの状態であるか否かの判定処理（以下、「サーモオフ状態判定処理」という）を実施し、
該サーモオフ状態判定処理の結果、前記サーモオフの状態であると判定した場合は、前記タイマーから前記経過時間を受信して、該経過時間と所定時間との比較処理を実施し（以下、「送風機駆動判定処理」という）、
該送風機駆動判定処理の結果、前記経過時間が前記所定時間未満であると判定した場合、前記室内送風機を駆動させ、前記経過時間が前記所定時間以上であると判定した場合、前記室内送風機を停止させる
ことを特徴とする請求項１〜請求項３のいずれかに記載の空気調和システム。
【請求項９】
前記計測端末から前記エリア内温度を受信し、前記設定端末と接続された演算装置を備え、
該演算装置は、
前記制御装置の代わりに、前記サーモ判定処理を実施し、該サーモ判定処理の結果を前記設定端末を介して前記制御装置に送信する
ことを特徴とする請求項１〜請求項８のいずれかに記載の空気調和システム。
【請求項１０】
前記計測端末から前記エリア内温度を受信し、前記設定端末と接続された演算装置を備え、
該演算装置は、
前記室内機から前記設定端末を介して、前記室内機の動作状態を示す状態情報、及び前記対象温度を受信し、
前記制御装置の代わりに、前記状態情報に基づいて前記サーモオフ状態判定処理を実施し、
該サーモオフ状態判定処理の結果、前記サーモオフの状態であると判定した場合、前記制御装置の代わりに、前記送風機駆動判定処理を実施し、該送風機駆動判定処理の結果を前記設定端末を介して前記制御装置に送信する
ことを特徴とする請求項５〜請求項７のいずれかに記載の空気調和システム。
【請求項１１】
前記計測端末から前記エリア内温度を受信し、前記設定端末と接続された演算装置を備え、
該演算装置は、
前記制御装置の代わりに、前記タイマーを備え、前記サーモ状態フラグをＯＮ又はＯＦＦさせ、そして、前記サーモ状態フラグ判定処理を実施し、
該サーモ状態フラグ判定処理の結果、前記サーモ状態フラグがＯＮであると判定した場合、前記制御装置の代わりに、前記タイマーに０から前記経過時間を計測開始させ、
前記制御装置の代わりに、該サーモ状態フラグ、又は、前記室内機から前記設定端末を介して受信した前記室内機の動作状態を示す状態情報に基づいて前記サーモオフ状態判定処理を実施し、
該サーモオフ状態判定処理の結果、前記サーモオフの状態であると判定した場合、前記制御装置の代わりに、前記送風機駆動判定処理を実施し、該送風機駆動判定処理の結果を前記設定端末を介して前記制御装置に送信する
ことを特徴とする請求項８記載の空気調和システム。
【請求項１２】
前記計測端末は、検出した前記エリア内温度を、無線通信によって前記設定端末に送信する
ことを特徴とする請求項１〜請求項８のいずれかに記載の空気調和システム。
【請求項１３】
前記計測端末は、検出した前記エリア内温度を、無線通信によって前記演算装置に送信する
ことを特徴とする請求項９〜請求項１１のいずれかに記載の空気調和システム。
【発明の詳細な説明】
【技術分野】
【０００１】
本発明は、空調エリアの温度に応じてサーモオフ時の送風を制御する空気調和システムに関するものである。
【背景技術】
【０００２】
従来の多室形空気調和装置として、室外機に容量可変形圧縮機を備え、室内機に冷媒の循環量を制御する弁等を設け、圧縮機の容量と各室内機への冷媒の循環量を制御して冷房能力や暖房能力を変更しているものがある。このような空気調和機は、室内機の空気の吸込み口には室温を測定するためのサーミスター等が取り付けられており、冷房運転の場合は室内機の吸込み空気温度が設定温度より一定値以上上昇したとき室内機への冷媒の循環量を増加させ（冷房サーモオン）、吸込み空気温度が設定温度より一定値未満に低下したときは冷媒の循環量を減少、又は冷媒の循環を停止させる（冷房サーモオフ）。また、暖房運転の場合は室内機の吸込み空気温度が設定温度より一定値未満に低下したとき室内機への冷媒の循環量を増加させ（暖房サーモオン）、吸込み空気温度が設定温度より一定値以上上昇したときは冷媒の循環量を減少、又は冷媒の循環を停止させる（暖房サーモオフ）。ただし、冷媒の循環が停止してもサーミスターは室温を測定する必要があるため室内機の送風機は常に、又は断続的に運転してサーミスターへ室内の空気を送る必要がある。
【０００３】
上記のような空気調和機に関連して、暖房サーモオフ中に送風運転をすると暖かくない風が流れて不快に感じるため、暖房サーモオフ時の送風量を減少させて送風方向を下向きに制御する空気調和機が提案されている（例えば、特許文献１参照）。また、冷房サーモオフ中の快適性を向上させるために、在室者が送風量をゼロ以外に設定可能とする空気調和機が提案されている（例えば、特許文献２参照）。
【先行技術文献】
【特許文献】
【０００４】
【特許文献１】特許第２９４０４５６号公報（第２−３頁、図２−３）
【特許文献２】特許第４１３３１００号公報（第６頁、図８）
【発明の概要】
【発明が解決しようとする課題】
【０００５】
しかし、上記の空気調和装置はサーモオフ中も送風機の運転を継続しており電力を浪費してしまうという問題点あった。また、送風機を運転させても室内機の吸い込み空気温度は実際の空調エリア内の室温と異なり、適切に制御できていないという問題があった。
【０００６】
本発明は、上記のような課題を解決するためになされたもので、第１の目的は、空調エリアの快適性を保ちながら不要な送風は停止して消費電力量を削減することである。また、第２の目的は、空調エリアの室温を精度よく検出して、適切に送風機の運転を制御することである。
【課題を解決するための手段】
【０００７】
本発明に係る空気調和システムは、圧縮機、四方弁及び室外熱交換器を有する室外機と、膨張装置、室内熱交換器、室内送風機及び制御装置を有する１台以上の室内機と、前記圧縮機、前記四方弁、前記室外熱交換器、前記膨張装置及び前記室内熱交換器を冷媒配管によって環状に接続した冷媒回路と、空調エリアの温度（以下、「エリア内温度」という）を検出する計測端末と、前記計測端末によって検出された前記エリア内温度を受信して前記制御装置に送信する設定端末と、を備え、前記制御装置は、前記設定端末から受信した前記エリア内温度と目標温度との比較処理の結果に基づいて、前記膨張装置の開度を増加させて前記冷媒回路の冷媒の循環量を増加させ、前記室内送風機を動作させ、あるいは、前記膨張装置の開度を減少若しくは閉じた状態として前記冷媒回路の冷媒の循環量を減少、若しくは冷媒の循環を停止させることを特徴とする。
【発明の効果】
【０００８】
本発明によれば、冷房サーモオフ又は暖房サーモオフ中に室内送風機を停止させても、空調エリア内の温度を正確に測定することができ、空調エリア内の快適性を維持しつつ室内送風機の電力を削減することができる。
【図面の簡単な説明】
【０００９】
【図１】本発明の実施の形態１における空気調和機の構成図である。
【図２】本発明の実施の形態１に係る空気調和システムの全体構成の概略図である。
【図３】本発明の実施の形態１に係る空気調和システムの冷房運転の制御フローを示す図である。
【図４】本発明の実施の形態１に係る空気調和システムの暖房運転の制御フローを示す図である。
【図５】本発明の実施の形態２に係る空気調和システムの冷房運転の制御フローを示す図である。
【図６】本発明の実施の形態２に係る空気調和システムの暖房運転の制御フローを示す図である。
【図７】本発明の実施の形態３に係る空気調和システムの冷房運転の制御フローを示す図である。
【図８】本発明の実施の形態３に係る空気調和システムの暖房運転の制御フローを示す図である。
【図９】本発明の実施の形態４に係る空気調和システムの冷房運転の制御フローを示す図である。
【図１０】本発明の実施の形態４に係る空気調和システムの暖房運転の制御フローを示す図である。
【発明を実施するための形態】
【００１０】
実施の形態１．
（空気調和機の構成）
図１は、本発明の実施の形態１における空気調和機の構成図である。
図１で示されるように、本実施の形態に係る空気調和機は、少なくとも、室外機１、２台の室内機２ａ、２ｂ、及びそれらを接続する冷媒配管によって構成されている。
【００１１】
室外機１は、少なくとも、液冷媒とガス冷媒とを分離するアキュムレーター３、冷媒を圧縮する圧縮機４、冷媒の流路を切り替える四方弁５、及び、室外空気と冷媒との熱交換を実施する室外熱交換器６を備えている。この室外機１の内部において、四方弁５、アキュムレーター３、圧縮機４、四方弁５、室外熱交換器６の順に冷媒配管によって接続されている。また、四方弁５は後述するガス側主管１１に接続されており、また、室外熱交換器６は後述する液側主管９に接続されている。また、室外機１は、さらに、圧縮機４等の制御を実施する室外制御装置１８、圧縮機４の吐出口側に接続された冷媒配管に設置され、圧縮機４から吐出される冷媒の圧力を検出する吐出圧力センサー１９、圧縮機４の吸入口側に接続された冷媒配管に設置され、圧縮機４に吸入される冷媒の圧力を検出する吸入圧力センサー２０、及び、室外熱交換器６に室外空気を通過させる室外送風機（図示せず）を備えている。
【００１２】
室内機２ａ、２ｂは、それぞれ少なくとも、冷媒を膨張させ減圧する膨張弁７ａ、７ｂ、空調エリア内の空気と冷媒との熱交換を実施する室内熱交換器８ａ、８ｂ、及び、空調エリアから空気をそれぞれ室内機２ａ、２ｂ内に吸い込ませ、室内熱交換器８ａ、８ｂにその空気を通過させて空調エリアへ送風する室内送風機１７ａ、１７ｂを備えている。この室内機２ａ、２ｂそれぞれの内部において、室内熱交換器８ａ、８ｂ及び膨張弁７ａ、７ｂは冷媒配管によって接続されている。また、室内熱交換器８ａ、８ｂはそれぞれガス側分岐管１２ａ、１２ｂに接続されており、このガス側分岐管１２ａ、１２ｂはそれぞれ室外機１との間で冷媒を流通させるガス側主管１１に接続している。また、膨張弁７ａ、７ｂはそれぞれ液側分岐管１０ａ、１０ｂに接続されており、この液側分岐管１０ａ、１０ｂはそれぞれ室外機１との間で冷媒を流通させる液側主管９に接続している。また、室内機２ａ、２ｂは、それぞれ、さらに、その吸込み口（図示せず）から吸い込まれる空気温度を検出する吸込空気温度センサー１３ａ、１３ｂ、室内熱交換器８ａ、８ｂと膨張弁７ａ、７ｂとを接続する冷媒配管に設置され、室内熱交換器８ａ、８ｂに流出入する冷媒の温度を検出する液管温度センサー１４ａ、１４ｂ、室内熱交換器８ａ、８ｂにそれぞれ接続されたガス側分岐管１２ａ、１２ｂに設置され、室内熱交換器８ａ、８ｂにそれぞれ流出入する冷媒の温度を検出するガス管温度センサー１５ａ、１５ｂ、及び、膨張弁７ａ、７ｂそれぞれの開度等を制御する室内制御装置１６ａ、１６ｂを備えている。
【００１３】
なお、本実施の形態に係る空気調和機は、図１で示されるように、２台の室内機２ａ、２ｂを備えるものとしているが、これに限定されるものではなく、１台又は３台以上の室内機を備える構成としてもよい。
また、膨張弁７ａ、７ｂは本発明の「膨張装置」に相当し、吸込空気温度センサー１３ａ、１３ｂは本発明の「吸込温度検出手段」に相当し、液管温度センサー１４ａ、１４ｂは本発明の「液管温度検出手段」に相当し、そして、ガス管温度センサー１５ａ、１５ｂは本発明の「ガス管温度手段」に相当する。
【００１４】
（空気調和システムの構成）
図２は、本発明の実施の形態１に係る空気調和システムの全体構成の概略図である。
図２で示されるように、室外機１は建物の屋上等に設置され、室内機２ａ、２ｂは天井裏２２に設置され、そして、設定端末２３が空調エリア２１内の壁又は柱等に設置されている。また、室内機２ａは、室外機１、室内機２ｂ及び設定端末２３それぞれに対し、ＬＡＮケーブル等の通信線２８によって接続されている。
なお、上記のように通信線２８によって、室内機２ａが、室外機１、室内機２ｂ及び設定端末２３それぞれに接続されている構成としているが、これに限定されるものではなく、室外機１、室内機２ａ、２ｂ及び設定端末２３が、通信線２８によってスイッチングハブ又はルーター等の集線装置に接続される等、互いに通信可能に接続される構成とすればよい。また、図２においては、室外機１、室内機２ａ、２ｂ及び設定端末２３が、それぞれ共通の通信線２８によって接続されている構成を示しているが、これに限定されるものではなく、それぞれの通信線の種類、又は、通信プロトコルが異なるものとしてもよい。
【００１５】
また、周辺の温度を検出する２台の無線計測端末２４ａ、２４ｂが、空調エリア２１内において人が滞在する場所、例えば、机２７等の上に設置されている。ここで、無線計測端末２４ａは室内機２ａに対応し、無線計測端末２４ｂは室内機２ｂに対応している。この対応関係は、予め設定端末２３によって設定できるものとしてもよい。また、空調エリア２１内には、この無線計測端末２４ａ、２４ｂと無線通信を実施する親機２５、及び、この親機２５から無線計測端末２４ａ、２４ｂによって検出された温度情報等を受信するパソコン等の演算機２６が設置されている。この演算機２６は、ＬＡＮケーブル等の通信線２９によって設定端末２３と接続されている。
なお、図２で示されるように、空調エリア２１内の温度を検出する無線計測端末２４ａ、２４ｂは、親機２５と無線通信する構成としたが、これに限定されるものではなく、有線通信する構成としてもよい。また、無線計測端末２４ａ、２４ｂは本発明の「計測端末」に相当し、そして、親機２５及び演算機２６は本発明の「演算装置」に相当する。
【００１６】
さらに、監視装置１００は、通信線２８に接続されており、また、遠隔監視装置１０１と電話回線、ＬＡＮ又はインターネット等の通信手段１０２によって接続されている。
なお、図２においては、監視装置１００は、通信線２８に接続されている構成としたが、これに限定されるものではなく、例えば、前述のように、室外機１、室内機２ａ、２ｂ及び設定端末２３が集線装置によって接続されている場合、この集線装置に接続される構成としてもよい。
【００１７】
なお、本実施の形態に係る空気調和システムは、図２で示されるように、１台の室外機１及び２台の室内機２ａ、２ｂを備える構成としているが、これに限定されるものではなく、１台の室外機に対して、１台又は３台以上の室内機が接続される構成の空気調和システムとしてもよく、さらに、この空気調和システムがさらに複数組み合わせられる構成としてもよい。この場合、各空気調和システムは、通信線２８によって接続されるものとすればよい。
【００１８】
（空気調和システムの冷房運転動作）
図３は、本発明の実施の形態１に係る空気調和システムの冷房運転の制御フローを示す図である。
冷房運転の場合、室外機１の圧縮機４によって圧縮され吐出されたガス冷媒は、四方弁５を経由して、室外熱交換器６へ流入する。この室外熱交換器６に流入したガス冷媒は、室外送風機（図示せず）の回転駆動によって送られてくる室外空気と熱交換が実施されて凝縮し、液体冷媒又は気液二相冷媒となって、室外熱交換器６から液側主管９に流出する。この液側主管９に流出した冷媒は、液側分岐管１０ａ、１０ｂへ分岐して流れる。このうち、液側分岐管１０ａに分岐して流れた冷媒は、室内機２ａの室内制御装置１６ａによってその開度が制御される膨張弁７ａに流れ込み、この膨張弁７ａによって膨張され減圧される。減圧された冷媒は、室内熱交換器８ａに流入し、室内送風機１７ａの回転駆動によって送られてくる空調エリア２１内の空気と熱交換が実施されて気化し、室内熱交換器８ａから流出する。この室内熱交換器８ａから流出した冷媒は、ガス側分岐管１２ａ及びガス側主管１１を流通し、室外機１の四方弁５を経由してアキュムレーター３に流入する。また、液側主管９から液側分岐管１０ｂに分岐し、室内機２ｂへ流入する冷媒についても、上記と同様の動作となる。そして、アキュムレーター３に流入した冷媒は、そのうちの液体冷媒が分離され、ガス冷媒が圧縮機４に吸入される。
【００１９】
次に、図３を参照しながら、冷房運転における冷房サーモオン及び冷房サーモオフの動作を説明する。
【００２０】
（Ｓ１０１）
室内機２ａにおける室内制御装置１６ａは、室内機２ａが備えるメモリ（図示せず）から目標温度Ｔｍａ及び設定風量等の設定情報、及び、中断指示の有無等の操作情報等の読み込みを実施する。
【００２１】
（Ｓ１０２）
室内制御装置１６ａは、読み込んだ操作情報における中断指示の有無を判定する。その判定の結果、中断指示があると判定した場合は、処理を終了する。一方、中断指示がないと判定した場合は、ステップＳ１０３へ進む。
【００２２】
（Ｓ１０３）
無線計測端末２４ａは、空調エリア２１内の空気温度を検出し、その検出した温度（以下、エリア内温度Ｔｗａという）を無線通信によって親機２５へ送信する。演算機２６は、その親機２５を介してエリア内温度Ｔｗａを受信する。
【００２３】
（Ｓ１０４）
演算機２６は、受信したエリア内温度Ｔｗａが目標温度Ｔｍａに一定値αを加算した値以上であるか否か判定する。その判定の結果、エリア内温度Ｔｗａが目標温度Ｔｍａに一定値αを加算した値以上であると判定した場合、ステップＳ１０５へ進む。一方、エリア内温度Ｔｗａが目標温度Ｔｍａに一定値αを加算した値以上でないと判定した場合、ステップＳ１０７へ進む。
【００２４】
（Ｓ１０５、Ｓ１０６）
演算機２６は、室内機２ａの膨張弁７ａの開度を増加させる指令、及び、室内送風機１７ａを動作させる指令を、通信線２９、設定端末２３及び通信線２８を介して、室内機２ａの室内制御装置１６ａに送信する。室内制御装置１６ａは、受信した指令に基づいて、膨張弁７ａの開度を増加させ、室内機２ａの冷媒回路における冷媒の循環量を増加させ（以下、この状態を「冷房サーモオン」という）、室内送風機１７ａを動作させる。そして、ステップＳ１０１へ戻る。
【００２５】
（Ｓ１０７）
演算機２６は、受信したエリア内温度Ｔｗａが目標温度Ｔｍａから一定値βを減算した値未満であるか否か判定する。その判定の結果、エリア内温度Ｔｗａが目標温度Ｔｍａから一定値βを減算した値未満であると判定した場合、ステップＳ１０８へ進む。一方、エリア内温度Ｔｗａが目標温度Ｔｍａから一定値βを減算した値未満でないと判定した場合、ステップＳ１０１へ戻る。
【００２６】
（Ｓ１０８、Ｓ１０９）
演算機２６は、室内機２ａの膨張弁７ａの開度を減少又は閉じさせる指令、及び、室内送風機１７ａを停止させる指令を、通信線２９、設定端末２３及び通信線２８を介して、室内機２ａの室内制御装置１６ａに送信する。室内制御装置１６ａは、受信した指令に基づいて、膨張弁７ａの開度を減少又は閉じた状態とし、室内機２ａの冷媒回路における冷媒の循環量を減少、又は冷媒の循環を停止させ（以下、この状態を「冷房サーモオフ」という）、室内送風機１７ａを停止させる。そして、ステップＳ１０１へ戻る。
【００２７】
以上のステップＳ１０１〜ステップＳ１０９の動作は、室内機２ｂ及び無線計測端末２４ｂについても同様である。
【００２８】
（空気調和システムの暖房運転動作）
図４は、本発明の実施の形態１に係る空気調和システムの暖房運転の制御フローを示す図である。
暖房運転の場合、室外機１の圧縮機４によって圧縮され吐出されたガス冷媒は、四方弁５を経由して、ガス側主管１１に流出する。このガス側主管１１に流出したガス冷媒は、ガス側分岐管１２ａ、１２ｂへ分岐して流れる。このうち、ガス側分岐管１２ａに分岐して流れたガス冷媒は、室内機２ａの室内熱交換器８ａに流入する。この室内熱交換器８ａに流入したガス冷媒は、室内送風機１７ａの回転駆動によって送られてくる空調エリア２１内の空気と熱交換が実施され凝縮し、液体冷媒又は気液二相冷媒となって、室内熱交換器８ａから流出する。この室内熱交換器８ａから流出した冷媒は、室内制御装置１６ａによってその開度が制御される膨張弁７ａに流れ込み、この膨張弁７ａによって膨張され減圧される。減圧された冷媒は、液側分岐管１０ａ及び液側主管９を流通し、室外機１の室外熱交換器６に流入する。また、ガス側主管１１からガス側分岐管１２ｂに分岐し、室内機２ｂへ流入する冷媒についても、上記と同様の動作となる。そして、室外熱交換器６に流入した冷媒は、室外送風機（図示せず）の回転駆動によって送られてくる室外空気と熱交換が実施されて気化し、室外熱交換器６から流出する。この室外熱交換器６から流出した冷媒は、四方弁５を経由してアキュムレーター３に流入する。そして、アキュムレーター３に流入した冷媒は、そのうちの液体冷媒が分離され、ガス冷媒が圧縮機４に吸入される。
【００２９】
次に、図４を参照しながら、暖房運転における暖房サーモオン及び暖房サーモオフの動作を説明する。
【００３０】
（Ｓ２０１）
室内機２ａにおける室内制御装置１６ａは、室内機２ａが備えるメモリ（図示せず）から目標温度Ｔｍａ及び設定風量等の設定情報、及び、中断指示の有無等の操作情報等の読み込みを実施する。
【００３１】
（Ｓ２０２）
室内制御装置１６ａは、読み込んだ操作情報における中断指示の有無を判定する。その判定の結果、中断指示があると判定した場合は、処理を終了する。一方、中断指示がないと判定した場合は、ステップＳ２０３へ進む。
【００３２】
（Ｓ２０３）
無線計測端末２４ａは、空調エリア２１内の空気温度を検出し、その検出したエリア内温度Ｔｗａを無線通信によって親機２５へ送信する。演算機２６は、その親機２５を介してエリア内温度Ｔｗａを受信する。
【００３３】
（Ｓ２０４）
演算機２６は、受信したエリア内温度Ｔｗａが目標温度Ｔｍａから一定値αを減算した値以下であるか否か判定する。その判定の結果、エリア内温度Ｔｗａが目標温度Ｔｍａから一定値αを減算した値以下であると判定した場合、ステップＳ２０５へ進む。一方、エリア内温度Ｔｗａが目標温度Ｔｍａから一定値αを減算した値以下でないと判定した場合、ステップＳ２０７へ進む。
【００３４】
（Ｓ２０５、Ｓ２０６）
演算機２６は、室内機２ａの膨張弁７ａの開度を増加させる指令、及び、室内送風機１７ａを動作させる指令を、通信線２９、設定端末２３及び通信線２８を介して、室内機２ａの室内制御装置１６ａに送信する。室内制御装置１６ａは、受信した指令に基づいて、膨張弁７ａの開度を増加させ、室内機２ａの冷媒回路における冷媒の循環量を増加させ（以下、この状態を「暖房サーモオン」という）、室内送風機１７ａを動作させる。そして、ステップＳ２０１へ戻る。
【００３５】
（Ｓ２０７）
演算機２６は、受信したエリア内温度Ｔｗａが目標温度Ｔｍａに一定値βを加算した値より大きいか否か判定する。その判定の結果、エリア内温度Ｔｗａが目標温度Ｔｍａに一定値βを加算した値より大きいと判定した場合、ステップＳ２０８へ進む。一方、エリア内温度Ｔｗａが目標温度Ｔｍａに一定値βを加算した値より大きくないと判定した場合、ステップＳ２０１へ戻る。
【００３６】
（Ｓ２０８、Ｓ２０９）
演算機２６は、室内機２ａの膨張弁７ａの開度を減少又は閉じさせる指令、及び、室内送風機１７ａを停止させる指令を、通信線２９、設定端末２３及び通信線２８を介して、室内機２ａの室内制御装置１６ａに送信する。室内制御装置１６ａは、受信した指令に基づいて、膨張弁７ａの開度を減少又は閉じた状態とし、室内機２ａの冷媒回路における冷媒の循環量を減少、又は冷媒の循環を停止させ（以下、この状態を「暖房サーモオフ」という）、室内送風機１７ａを停止させる。そして、ステップＳ２０１へ戻る。
【００３７】
以上のステップＳ２０１〜ステップＳ２０９の動作は、室内機２ｂ及び無線計測端末２４ｂについても同様である。
【００３８】
（実施の形態１の効果）
以上の構成及び動作によって、無線式の温度センサーである無線計測端末を用いることによって、冷房サーモオフ又は暖房サーモオフ中に室内送風機を停止させても、空調エリア内の温度を正確に測定することができ、空調エリア内の快適性を維持しつつ室内送風機の電力を削減することができる。
また、暖房運転時は、暖房サーモオフ中のドラフト感が抑制され快適性が向上する。
【００３９】
なお、冷房運転におけるステップＳ１０４及びステップＳ１０７、及び、暖房運転におけるステップＳ２０４及びステップＳ２０７において、演算機２６がエリア内温度Ｔｗａ及び目標温度Ｔｍａについての判定処理を実施しているが、これに限定されるものではなく、演算機２６は、受信したエリア内温度Ｔｗａを通信線２９、設定端末２３及び通信線２８を介して室内機２ａ（又は室内機２ｂ）に送信し、室内機２ａ（又は室内機２ｂ）の室内制御装置１６ａ（又は室内制御装置１６ｂ）が、エリア内温度Ｔｗａ及び目標温度Ｔｍａについての判定処理を実施する構成としてもよい。また、この場合、無線計測端末２４ａ、２４ｂは検出したエリア内温度を親機２５に無線通信するのではなく、設定端末２３に直接、無線送信又は有線通信する構成としてもよい。
また、演算機２６は、上記のように無線計測端末２４ａ、２４ｂによって検出されたエリア内温度による制御と、従来の室内機２ａ、２ｂの吸込空気温度センサー１３ａ、１３ｂによって検出された吸込温度による制御とを選択可能とするものとしてもよい。また、上記の選択動作は、演算機２６でなく遠隔監視装置１０１によって実施されるものとしてもよい。
【００４０】
実施の形態２．
本実施の形態に係る空気調和システムについて、実施の形態１に係る空気調和システムの動作と相違する点を中心に説明する。ここで、本実施の形態に係る空気調和システムの構成は、図１及び図２で示される実施の形態１に係る空気調和システムの構成と同様である。
【００４１】
（空気調和システムの冷房運転動作）
図５は、本発明の実施の形態２に係る空気調和システムの冷房運転の制御フローを示す図である。以下、図５を参照しながら、冷房運転における冷房サーモオン及び冷房サーモオフの動作を説明する。
【００４２】
（Ｓ１０７）
演算機２６は、受信したエリア内温度Ｔｗａが目標温度Ｔｍａから一定値βを減算した値未満であるか否か判定する。その判定の結果、エリア内温度Ｔｗａが目標温度Ｔｍａから一定値βを減算した値未満であると判定した場合、ステップＳ１０８へ進む。一方、エリア内温度Ｔｗａが目標温度Ｔｍａから一定値βを減算した値未満でないと判定した場合、ステップＳ１１０へ進む。
【００４３】
（Ｓ１０８）
演算機２６は、室内機２ａの膨張弁７ａの開度を減少又は閉じさせる指令、及び、室内送風機１７ａを停止させる指令を、通信線２９、設定端末２３及び通信線２８を介して、室内機２ａの室内制御装置１６ａに送信する。室内制御装置１６ａは、受信した指令に基づいて、膨張弁７ａの開度を減少又は閉じた状態とし、室内機２ａの冷媒回路における冷媒の循環量を減少、又は冷媒の循環を停止させて冷房サーモオフの状態とする。そして、ステップＳ１１０へ進む。
【００４４】
（Ｓ１１０）
演算機２６は、室内機２ａが冷房サーモオフの状態であるか否かを確認する。具体的には、例えば、演算機２６が、通信線２９、設定端末２３及び通信線２８を介して、室内機２ａに対して状態確認指令を送信し、その状態確認指令を受信した室内機２ａが冷房サーモオフの状態であるか否かの状態情報を演算機２６に送信し、そして、演算機２６がその状態情報に基づいて、室内機２ａが冷房サーモオフの状態であるか否かを確認するものとすればよい。また、室内機２ａが、一定時間毎に、通信線２８、設定端末２３及び通信線２９を介して演算機２６に冷房サーモオフの状態であるか否か等の状態情報を送信し、演算機２６が、適宜必要な場合に取得し、その状態情報に基づいて、室内機２ａが冷房サーモオフの状態であるか否かを確認するものとすればよい。その確認の結果、室内機２ａが冷房サーモオフの状態である場合、ステップＳ１１１へ進む。一方、室内機２ａが冷房サーモオフの状態でない場合、ステップＳ１０１へ戻る。
【００４５】
（Ｓ１１１）
室内機２ａの室内制御装置１６ａは、吸込空気温度センサー１３ａによって検出された吸込み口（図示せず）近傍の空気温度（以下、「吸込空気温度Ｔｈａ」という）を受信し、その吸込空気温度Ｔｈａを通信線２９、設定端末２３及び通信線２８を介して、演算機２６へ送信する。
【００４６】
（Ｓ１１２）
演算機２６は、受信した吸込空気温度Ｔｈａがエリア内温度Ｔｗａ以下であるか否か判定する。その判定の結果、吸込空気温度Ｔｈａがエリア内温度Ｔｗａ以下であると判定した場合、ステップＳ１１３へ進む。一方、吸込空気温度Ｔｈａがエリア内温度Ｔｗａ以下でないと判定した場合、ステップＳ１１４へ進む。
【００４７】
（Ｓ１１３）
演算機２６は、室内機２ａの室内送風機１７ａを動作させる指令を、通信線２９、設定端末２３及び通信線２８を介して、室内機２ａの室内制御装置１６ａに送信する。室内制御装置１６ａは、受信した指令に基づいて、室内送風機１７ａを動作させる。
【００４８】
（Ｓ１１４）
演算機２６は、室内機２ａの室内送風機１７ａを停止させる指令を、通信線２９、設定端末２３及び通信線２８を介して、室内機２ａの室内制御装置１６ａに送信する。室内制御装置１６ａは、受信した指令に基づいて、室内送風機１７ａを停止させる。
【００４９】
なお、図５におけるステップＳ１０１〜ステップＳ１０６の動作は、実施の形態１に係る空気調和システムと同様である。また、以上のステップＳ１０１〜ステップＳ１０８及びステップＳ１１０〜ステップＳ１１４の動作は、室内機２ｂ及び無線計測端末２４ｂについても同様である。
【００５０】
通常、室内送風機１７ａ、１７ｂが停止すると、自然対流によって高温の空気が上昇し、吸込空気温度センサー１３ａ、１３ｂによって検出される吸込空気温度の方が、無線計測端末２４ａ、２４ｂによって検出されるエリア内温度よりも高温になるが、建物の構造や機器構成等によっては吸込空気温度の方が、エリア内温度よりも低くなることがある。この場合、空調エリア２１のうち人がいるエリアが冷えていればいいので、上記の動作のように、冷房サーモオフ中に、上空の温度、すなわち、吸込空気温度がエリア内温度以下であれば室内送風機１７ａ、１７ｂによって送風して空調エリア２１内の空気を攪拌させ、吸込空気温度がエリア内温度よりも高ければ室内送風機１７ａ、１７ｂによって送風させないようにすることによって、人がいるエリアの熱負荷が減少でき、温度変化も抑制することができる。
【００５１】
（空気調和システムの暖房運転動作）
図６は、本発明の実施の形態２に係る空気調和システムの暖房運転の制御フローを示す図である。以下、図６を参照しながら、暖房運転における暖房サーモオン及び暖房サーモオフの動作を説明する。
【００５２】
（Ｓ２０７）
演算機２６は、受信したエリア内温度Ｔｗａが目標温度Ｔｍａに一定値βを加算した値より大きいか否か判定する。その判定の結果、エリア内温度Ｔｗａが目標温度Ｔｍａから一定値βを加算した値より大きいと判定した場合、ステップＳ２０８へ進む。一方、エリア内温度Ｔｗａが目標温度Ｔｍａから一定値βを加算した値より大きくないと判定した場合、ステップＳ２１０へ進む。
【００５３】
（Ｓ２０８）
演算機２６は、室内機２ａの膨張弁７ａの開度を減少又は閉じさせる指令、及び、室内送風機１７ａを停止させる指令を、通信線２９、設定端末２３及び通信線２８を介して、室内機２ａの室内制御装置１６ａに送信する。室内制御装置１６ａは、受信した指令に基づいて、膨張弁７ａの開度を減少又は閉じた状態とし、室内機２ａの冷媒回路における冷媒の循環量を減少、又は冷媒の循環を停止させて暖房サーモオフの状態とする。そして、ステップＳ２１０へ進む。
【００５４】
（Ｓ２１０）
演算機２６は、室内機２ａが暖房サーモオフの状態であるか否かを確認する。具体的には、例えば、演算機２６が、通信線２９、設定端末２３及び通信線２８を介して、室内機２ａに対して状態確認指令を送信し、その状態確認指令を受信した室内機２ａが暖房サーモオフの状態であるか否かの状態情報を演算機２６に送信し、そして、演算機２６がその状態情報に基づいて、室内機２ａが暖房サーモオフの状態であるか否かを確認するものとすればよい。また、室内機２ａが、一定時間毎に、通信線２８、設定端末２３及び通信線２９を介して演算機２６に暖房サーモオフの状態であるか否か等の状態情報を送信し、演算機２６が、適宜必要な場合に取得し、その状態情報に基づいて、室内機２ａが暖房サーモオフの状態であるか否かを確認するものとすればよい。その確認の結果、室内機２ａが暖房サーモオフの状態である場合、ステップＳ２１１へ進む。一方、室内機２ａが暖房サーモオフの状態でない場合、ステップＳ２０１へ戻る。
【００５５】
（Ｓ２１１）
室内機２ａの室内制御装置１６ａは、吸込空気温度センサー１３ａによって検出された吸込み口（図示せず）近傍の吸込空気温度Ｔｈａを受信し、その吸込空気温度Ｔｈａを通信線２９、設定端末２３及び通信線２８を介して、演算機２６へ送信する。
【００５６】
（Ｓ２１２）
演算機２６は、受信した吸込空気温度Ｔｈａがエリア内温度Ｔｗａ以上であるか否か判定する。その判定の結果、吸込空気温度Ｔｈａがエリア内温度Ｔｗａ以上であると判定した場合、ステップＳ２１３へ進む。一方、吸込空気温度Ｔｈａがエリア内温度Ｔｗａ以上でないと判定した場合、ステップＳ２１４へ進む。
【００５７】
（Ｓ２１３）
演算機２６は、室内機２ａの室内送風機１７ａを動作させる指令を、通信線２９、設定端末２３及び通信線２８を介して、室内機２ａの室内制御装置１６ａに送信する。室内制御装置１６ａは、受信した指令に基づいて、室内送風機１７ａを動作させる。
【００５８】
（Ｓ２１４）
演算機２６は、室内機２ａの室内送風機１７ａを停止させる指令を、通信線２９、設定端末２３及び通信線２８を介して、室内機２ａの室内制御装置１６ａに送信する。室内制御装置１６ａは、受信した指令に基づいて、室内送風機１７ａを停止させる。
【００５９】
なお、図６におけるステップＳ２０１〜ステップＳ２０６の動作は、実施の形態１に係る空気調和システムと同様である。また、以上のステップＳ２０１〜ステップＳ２０８及びステップＳ２１０〜ステップＳ２１４の動作は、室内機２ｂ及び無線計測端末２４ｂについても同様である。
【００６０】
通常、室内送風機１７ａ、１７ｂが停止すると、自然対流によって高温の空気が上昇し、吸込空気温度センサー１３ａ、１３ｂによって検出される吸込空気温度の方が、無線計測端末２４ａ、２４ｂによって検出されるエリア内温度よりも高温になる。この場合、空調エリア２１のうち人がいるエリアが暖まっていればいいので、上記の動作のように、暖房サーモオフ中に、上空の温度、すなわち、吸込空気温度がエリア内温度以上であれば室内送風機１７ａ、１７ｂによって送風して空調エリア２１内の空気を攪拌させ、吸込空気温度がエリア内温度よりも低ければ室内送風機１７ａ、１７ｂによって送風させないようにすることによって、人がいるエリアの熱負荷が減少でき、温度変化も抑制することができる。
【００６１】
（実施の形態２の効果）
以上の構成及び動作によって、空調エリア内の上空の空気を攪拌して空調エリアの熱負荷を減少させることができ、これによって、サーモオフの状態の時間割合が増加して空気調和システムの消費電力を削減することができる。
また、サーモオフ中の室温変化を抑制することができるので快適性が向上する。
【００６２】
なお、冷房運転におけるステップＳ１１０〜ステップＳ１１２、及び、暖房運転におけるステップＳ２１０〜ステップＳ２１２において、演算機２６が、室内機２ａ（又は室内機２ｂ）がサーモオフの状態であるか否か確認し、吸込空気温度Ｔｈａ及びエリア内温度Ｔｗａについての判定処理を実施しているが、これに限定されるものではなく、室内機２ａ（又は室内機２ｂ）の室内制御装置１６ａ（又は室内制御装置１６ｂ）が、サーモオフの状態であるか否か確認し、吸込空気温度Ｔｈａ及びエリア内温度Ｔｗａについての判定処理を実施する構成としてもよい。
【００６３】
実施の形態３．
本実施の形態に係る空気調和システムについて、実施の形態２に係る空気調和システムの動作と相違する点を中心に説明する。ここで、本実施の形態に係る空気調和システムの構成は、図１及び図２で示される実施の形態１に係る空気調和システムの構成と同様である。
【００６４】
（空気調和システムの冷房運転動作）
図７は、本発明の実施の形態３に係る空気調和システムの冷房運転の制御フローを示す図である。以下、図７を参照しながら、冷房運転における冷房サーモオン及び冷房サーモオフの動作を説明する。
【００６５】
（Ｓ１１０）
演算機２６は、室内機２ａが冷房サーモオフの状態であるか否かを確認する。具体的には、例えば、演算機２６が、通信線２９、設定端末２３及び通信線２８を介して、室内機２ａに対して状態確認指令を送信し、その状態確認指令を受信した室内機２ａが冷房サーモオフの状態であるか否かの状態情報を演算機２６に送信し、そして、演算機２６がその状態情報に基づいて、室内機２ａが冷房サーモオフの状態であるか否かを確認するものとすればよい。また、室内機２ａが、一定時間毎に、通信線２８、設定端末２３及び通信線２９を介して演算機２６に冷房サーモオフの状態であるか否か等の状態情報を送信し、演算機２６が、適宜必要な場合に取得し、その状態情報に基づいて、室内機２ａが冷房サーモオフの状態であるか否かを確認するものとすればよい。その確認の結果、室内機２ａが冷房サーモオフの状態である場合、ステップＳ１１５へ進む。一方、室内機２ａが冷房サーモオフの状態でない場合、ステップＳ１０１へ戻る。
【００６６】
（Ｓ１１５）
室内機２ａの室内制御装置１６ａは、液管温度センサー１４ａによって検出された室内熱交換器８ａに流入する冷媒の温度（以下、「液管温度Ｔｌａ」という）を受信し、その液管温度Ｔｌａを通信線２９、設定端末２３及び通信線２８を介して、演算機２６へ送信する。
【００６７】
（Ｓ１１６）
演算機２６は、受信した液管温度Ｔｌａが所定温度γ未満であるか否か判定する。その判定の結果、液管温度Ｔｌａが所定温度γ未満であると判定した場合、ステップＳ１１３へ進む。一方、液管温度Ｔｌａが所定温度γ未満でないと判定した場合、ステップＳ１１４へ進む。
【００６８】
なお、図７におけるステップＳ１０１〜ステップＳ１０８、ステップＳ１１３及びステップＳ１１４の動作は、実施の形態２に係る空気調和システムと同様である。また、以上のステップＳ１０１〜ステップＳ１０８、ステップＳ１１０、並びに、ステップＳ１１３〜ステップＳ１１６の動作は、室内機２ｂ及び無線計測端末２４ｂについても同様である。
【００６９】
冷房サーモオン中は、低温の液冷媒が膨張弁７ａ、７ｂから室内熱交換器８ａ、８ｂへ流入するため液管温度センサー１４ａ、１４ｂによって検出される液管温度は低温である。そして、冷房サーモオフして膨張弁７ａ、７ｂの開度が減少又は閉じても室内熱交換器８ａ、８ｂの中には低温の液冷媒が残っている。この場合、上記の動作のように、冷房サーモオフの状態になってから、液管温度が所定温度未満の間は室内送風機１７ａ、１７ｂを運転させて空調エリア内の空気を冷やすことができ、冷媒を無駄なく活用することができる。また、液管温度が所定温度以上になった場合、室内送風機１７ａ、１７ｂを停止することによって消費電力を抑制することができる。
【００７０】
（空気調和システムの暖房運転動作）
図８は、本発明の実施の形態３に係る空気調和システムの暖房運転の制御フローを示す図である。以下、図８を参照しながら、暖房運転における暖房サーモオン及び暖房サーモオフの動作を説明する。
【００７１】
（Ｓ２１０）
演算機２６は、室内機２ａが暖房サーモオフの状態であるか否かを確認する。具体的には、例えば、演算機２６が、通信線２９、設定端末２３及び通信線２８を介して、室内機２ａに対して状態確認指令を送信し、その状態確認指令を受信した室内機２ａが暖房サーモオフの状態であるか否かの状態情報を演算機２６に送信し、そして、演算機２６がその状態情報に基づいて、室内機２ａが暖房サーモオフの状態であるか否かを確認するものとすればよい。また、室内機２ａが、一定時間毎に、通信線２８、設定端末２３及び通信線２９を介して演算機２６に暖房サーモオフの状態であるか否か等の状態情報を送信し、演算機２６が、適宜必要な場合に取得し、その状態情報に基づいて、室内機２ａが暖房サーモオフの状態であるか否かを確認するものとすればよい。その確認の結果、室内機２ａが暖房サーモオフの状態である場合、ステップＳ２１５へ進む。一方、室内機２ａが暖房サーモオフの状態でない場合、ステップＳ２０１へ戻る。
【００７２】
（Ｓ２１５）
室内機２ａの室内制御装置１６ａは、ガス管温度センサー１５ａによって検出された室内熱交換器８ａに流入するガス冷媒の温度（以下、「ガス管温度Ｔｇａ」という）を受信し、そのガス管温度Ｔｇａを通信線２９、設定端末２３及び通信線２８を介して、演算機２６へ送信する。
【００７３】
（Ｓ２１６）
演算機２６は、受信したガス管温度Ｔｇａが所定温度δより大きいか否か判定する。その判定の結果、ガス管温度Ｔｇａが所定温度δより大きいと判定した場合、ステップＳ２１３へ進む。一方、ガス管温度Ｔｇａが所定温度δ未満と判定した場合、ステップＳ２１４へ進む。
【００７４】
なお、図８におけるステップＳ２０１〜ステップＳ２０８、ステップＳ２１３及びステップＳ２１４の動作は、実施の形態２に係る空気調和システムと同様である。また、以上のステップＳ２０１〜ステップＳ２０８、ステップＳ２１０、並びに、ステップＳ２１３〜ステップＳ２１６の動作は、室内機２ｂ及び無線計測端末２４ｂについても同様である。
【００７５】
暖房サーモオン中は、高温のガス冷媒がガス側分岐管１２ａ、１２ｂから室内熱交換器８ａ、８ｂへ流入するためガス管温度センサー１５ａ、１５ｂによって検出されるガス管温度は高温である。そして、暖房サーモオフして膨張弁７ａ、７ｂの開度が減少又は閉じても室内熱交換器８ａ、８ｂの中には高温のガス冷媒が残っている。この場合、上記の動作のように、暖房サーモオフの状態になってから、ガス管温度が所定温度より大きい間は室内送風機１７ａ、１７ｂを運転させて空調エリア内の空気を暖めることができ、冷媒を無駄なく活用することができる。また、液管温度が所定温度以下になった場合、室内送風機１７ａ、１７ｂを停止することによって消費電力を抑制することができる。
【００７６】
（実施の形態３の効果）
以上の構成及び動作によって、サーモオフ中に室内熱交換器における残留した冷媒の熱を有効に活用することによって、サーモオフの状態の時間割合が増加して空気調和システムの消費電力を削減することができる。
また、サーモオフ中の室温変化を抑制することができるので快適性が向上する。
【００７７】
なお、冷房運転におけるステップＳ１１０、ステップＳ１１５及びステップＳ１１６、並びに、暖房運転におけるステップＳ２１０、ステップＳ２１５及びステップＳ２１６において、演算機２６が、室内機２ａ（又は室内機２ｂ）がサーモオフの状態であるか否か確認し、液管温度Ｔｌａ及びガス管温度Ｔｇａについての判定処理を実施しているが、これに限定されるものではなく、室内機２ａ（又は室内機２ｂ）の室内制御装置１６ａ（又は室内制御装置１６ｂ）が、サーモオフの状態であるか否か確認し、液管温度Ｔｌａ及びガス管温度Ｔｇａについての判定処理を実施する構成としてもよい。
【００７８】
実施の形態４．
本実施の形態に係る空気調和システムについて、実施の形態２に係る空気調和システムの動作と相違する点を中心に説明する。ここで、本実施の形態に係る空気調和システムの構成は、図１及び図２で示される実施の形態１に係る空気調和システムの構成と同様である。
【００７９】
（空気調和システムの冷房運転動作）
図９は、本発明の実施の形態４に係る空気調和システムの冷房運転の制御フローを示す図である。以下、図９を参照しながら、冷房運転における冷房サーモオン及び冷房サーモオフの動作を説明する。
【００８０】
（Ｓ１０５、Ｓ１０６）
演算機２６は、室内機２ａの膨張弁７ａの開度を増加させる指令、及び、室内送風機１７ａを動作させる指令を、通信線２９、設定端末２３及び通信線２８を介して、室内機２ａの室内制御装置１６ａに送信する。室内制御装置１６ａは、受信した指令に基づいて、膨張弁７ａの開度を増加させ、室内機２ａの冷媒回路における冷媒の循環量を増加させて、冷房サーモオンの状態とし、室内送風機１７ａを動作させる。そして、ステップＳ１１７へ進む。
【００８１】
（Ｓ１１７）
演算機２６は、冷房サーモオンの状態であるのか、冷房サーモオフの状態であるのかを示すフラグＦを有しており、このフラグＦを１とすることによって冷房サーモオンの状態であることを記録する。そして、ステップＳ１０１へ戻る。
【００８２】
（Ｓ１０８）
演算機２６は、室内機２ａの膨張弁７ａの開度を減少又は閉じさせる指令、及び、室内送風機１７ａを停止させる指令を、通信線２９、設定端末２３及び通信線２８を介して、室内機２ａの室内制御装置１６ａに送信する。室内制御装置１６ａは、受信した指令に基づいて、膨張弁７ａの開度を減少又は閉じた状態とし、室内機２ａの冷媒回路における冷媒の循環量を減少、又は冷媒の循環を停止させて冷房サーモオフの状態とする。そして、ステップＳ１１８へ進む。
【００８３】
（Ｓ１１８）
演算機２６は、フラグＦが１であるか否かを判定する。その判定の結果、フラグＦが１であると判定した場合、ステップＳ１１９へ進む。一方、フラグＦが１でないと判定した場合、ステップＳ１１０へ進む。
【００８４】
（Ｓ１１９）
演算機２６はタイマーを備えており、このタイマーは０から時間を計測開始する。これによって、タイマーは、室内機２ａが冷房サーモオンの状態から冷房サーモオフの状態へ切り替わった瞬間からの経過時間を計測することができる。このとき、タイマーによって計測される経過時間をｔ２ａとする。
【００８５】
（Ｓ１２０）
演算機２６は、フラグＦを０とすることによって冷房サーモオフの状態であることを記録する。そして、ステップＳ１１０へ進む。
【００８６】
（Ｓ１１０）
演算機２６は、室内機２ａが冷房サーモオフの状態であるか否かを確認する。具体的には、例えば、演算機２６が、通信線２９、設定端末２３及び通信線２８を介して、室内機２ａに対して状態確認指令を送信し、その状態確認指令を受信した室内機２ａが冷房サーモオフの状態であるか否かの状態情報を演算機２６に送信し、そして、演算機２６がその状態情報に基づいて、室内機２ａが冷房サーモオフの状態であるか否かを確認するものとすればよい。また、室内機２ａが、一定時間毎に、通信線２８、設定端末２３及び通信線２９を介して演算機２６に冷房サーモオフの状態であるか否か等の状態情報を送信し、演算機２６が、適宜必要な場合に取得し、その状態情報に基づいて、室内機２ａが冷房サーモオフの状態であるか否かを確認するものとすればよい。あるいは、フラグＦが０であるか否かを確認するものとしてもよい。その確認の結果、室内機２ａが冷房サーモオフの状態である場合、ステップＳ１２１へ進む。一方、室内機２ａが冷房サーモオフの状態でない場合、ステップＳ１０１へ戻る。
【００８７】
（Ｓ１２１、Ｓ１２２）
演算機２６は、タイマーから経過時間ｔ２ａを読み込み、その経過時間ｔ２ａが所定時間ｔ０未満か否かを判定する。その判定の結果、経過時間ｔ２ａが所定時間ｔ０未満であると判定した場合、ステップＳ１１３へ進む。一方、経過時間ｔ２ａが所定時間ｔ０以上であると判定した場合、ステップＳ１１４へ進む。
【００８８】
なお、図９におけるステップＳ１０１〜ステップＳ１０４、ステップＳ１０７、ステップＳ１１３及びステップＳ１１４の動作は、実施の形態３に係る空気調和システムと同様である。また、以上のステップＳ１０１〜ステップＳ１０８、ステップＳ１１０、ステップＳ１１３、ステップＳ１１４、及びステップＳ１１７〜ステップＳ１２２の動作は、室内機２ｂ及び無線計測端末２４ｂについても同様である。
【００８９】
冷房サーモオンの状態のとき、低温の液冷媒が膨張弁７ａ、７ｂから室内熱交換器８ａ、８ｂへ流入して低温になっており、冷房サーモオフの状態にして膨張弁７ａ、７ｂの開度が減少又は閉じても室内熱交換器８ａ、８ｂの中には低温の液冷媒が残っている。この場合、上記の動作のように、冷房サーモオフの状態になってから所定時間ｔ０未満の間は室内送風機１７ａ、１７ｂを運転させて空調エリア内の空気を冷やすことができ、冷媒を無駄なく活用することができる。また、所定時間ｔ０以上経過した場合は室内送風機１７ａ、１７ｂを停止することによって消費電力を抑制することができる。
【００９０】
（空気調和システムの暖房運転動作）
図１０は、本発明の実施の形態４に係る空気調和システムの暖房運転の制御フローを示す図である。以下、図１０を参照しながら、暖房運転における暖房サーモオン及び暖房サーモオフの動作を説明する。
【００９１】
（Ｓ２０５、Ｓ２０６）
演算機２６は、室内機２ａの膨張弁７ａの開度を増加させる指令、及び、室内送風機１７ａを動作させる指令を、通信線２９、設定端末２３及び通信線２８を介して、室内機２ａの室内制御装置１６ａに送信する。室内制御装置１６ａは、受信した指令に基づいて、膨張弁７ａの開度を増加させ、室内機２ａの冷媒回路における冷媒の循環量を増加させて、暖房サーモオンの状態とし、室内送風機１７ａを動作させる。そして、ステップＳ２１７へ進む。
【００９２】
（Ｓ２１７）
演算機２６は、暖房サーモオンの状態であるのか、暖房サーモオフの状態であるのかを示すフラグＦを有しており、このフラグＦ１を１とすることによって暖房サーモオン状態であることを記録する。そして、ステップＳ２０１へ戻る。
【００９３】
（Ｓ２０８）
演算機２６は、室内機２ａの膨張弁７ａの開度を減少又は閉じさせる指令、及び、室内送風機１７ａを停止させる指令を、通信線２９、設定端末２３及び通信線２８を介して、室内機２ａの室内制御装置１６ａに送信する。室内制御装置１６ａは、受信した指令に基づいて、膨張弁７ａの開度を減少又は閉じた状態とし、室内機２ａの冷媒回路における冷媒の循環量を減少、又は冷媒の循環を停止させて暖房サーモオフの状態とする。そして、ステップＳ２１８へ進む。
【００９４】
（Ｓ２１８）
演算機２６は、フラグＦが１であるか否かを判定する。その判定の結果、フラグＦが１であると判定した場合、ステップＳ２１９へ進む。一方、フラグＦが１でないと判定した場合、ステップＳ２１０へ進む。
【００９５】
（Ｓ２１９）
演算機２６はタイマーを備えており、このタイマーは０から時間を計測開始する。これによって、タイマーは、室内機２ａが暖房サーモオンの状態から暖房サーモオフの状態へ切り替わった瞬間からの経過時間を計測することができる。このとき、タイマーによって計測される経過時間をｔ２ａとする。
【００９６】
（Ｓ２２０）
演算機２６は、フラグＦを０とすることによって暖房サーモオフの状態であることを記録する。そして、ステップＳ２１０へ進む。
【００９７】
（Ｓ２１０）
演算機２６は、室内機２ａが暖房サーモオフの状態であるか否かを確認する。具体的には、例えば、演算機２６が、通信線２９、設定端末２３及び通信線２８を介して、室内機２ａに対して状態確認指令を送信し、その状態確認指令を受信した室内機２ａが暖房サーモオフの状態であるか否かの状態情報を演算機２６に送信し、そして、演算機２６がその状態情報に基づいて、室内機２ａが暖房サーモオフの状態であるか否かを確認するものとすればよい。また、室内機２ａが、一定時間毎に、通信線２８、設定端末２３及び通信線２９を介して演算機２６に暖房サーモオフの状態であるか否か等の状態情報を送信し、演算機２６が、適宜必要な場合に取得し、その状態情報に基づいて、室内機２ａが暖房サーモオフの状態であるか否かを確認するものとすればよい。あるいは、フラグＦが０であるか否かを確認するものとすればよい。その確認の結果、室内機２ａが暖房サーモオフの状態である場合、ステップＳ２２１へ進む。一方、室内機２ａが暖房サーモオフの状態でない場合、ステップＳ２０１へ戻る。
【００９８】
（Ｓ２２１、Ｓ２２２）
演算機２６は、タイマーから経過時間ｔ２ａを読み込み、その経過時間ｔ２ａが所定時間ｔ０未満か否かの判定をする。その判定の結果、経過時間ｔ２ａが所定時間ｔ０未満であると判定した場合、ステップＳ２１３へ進む。一方、経過時間ｔ２ａが所定時間ｔ０以上であると判定した場合、ステップＳ２１４へ進む。
【００９９】
なお、図１０におけるステップＳ２０１〜ステップＳ２０４、ステップＳ２０７、ステップＳ２１３及びステップＳ２１４の動作は、実施の形態３に係る空気調和システムと同様である。また、以上のステップＳ２０１〜ステップＳ２０８、ステップＳ２１０、ステップＳ２１３、ステップＳ２１４、及びステップＳ２１７〜ステップＳ２２２の動作は、室内機２ｂ及び無線計測端末２４ｂについても同様である。
【０１００】
暖房サーモオンの状態のとき、高温のガス冷媒が膨張弁７ａ、７ｂから室内熱交換器８ａ、８ｂへ流入して高温になっており、暖房サーモオフの状態にして膨張弁７ａ、７ｂの開度が減少又は閉じても室内熱交換器８ａ、８ｂの中には高温のガス冷媒が残っている。この場合、上記の動作のように、暖房サーモオフの状態になってから所定時間ｔ０未満の間は室内送風機１７ａ、１７ｂを運転させて空調エリア内の空気を暖めることができ、冷媒を無駄なく活用することができる。また、所定時間ｔ０以上経過した場合は室内送風機１７ａ、１７ｂを停止することによって消費電力を抑制することができる。
【０１０１】
なお、フラグＦは本発明の「サーモ状態フラグ」に相当する。
【０１０２】
（実施の形態４の効果）
以上の構成及び動作によって、サーモオフ中に室内熱交換器における残留した冷媒の熱を有効に活用することによって、サーモオフの状態の時間割合が増加して空気調和システムの消費電力を削減することができる。
また、サーモオフ中の室温変化を抑制することができるので快適性が向上する。
【０１０３】
なお、冷房運転におけるステップＳ１１０、Ｓ１１７〜Ｓ１２２、並びに、暖房運転におけるステップＳ２１０、Ｓ２１７〜Ｓ２２２において、演算機２６が、タイマーを備え、サーモオンの状態であるか、サーモオフの状態であるかのフラグを設定し、室内機２ａ（又は室内機２ｂ）がサーモオンからサーモオフに切り替わったか否かを判定し、そして、サーモオフに切り替わってからの経過時間についての判定処理を実施しているが、これに限定されるものではなく、演算機２６の代わりに、室内機２ａ（又は室内機２ｂ）の室内制御装置１６ａ（又は室内制御装置１６ｂ）が、タイマーを備え、上記の設定動作及び判定処理を実施する構成としてもよい。
【符号の説明】
【０１０４】
１  室外機、２ａ、２ｂ  室内機、３  アキュムレーター、４  圧縮機、５  四方弁、６  室外熱交換器、７ａ、７ｂ  膨張弁、８ａ、８ｂ  室内熱交換器、９  液側主管、１０ａ、１０ｂ  液側分岐管、１１  ガス側主管、１２ａ、１２ｂ  ガス側分岐管、１３ａ、１３ｂ  吸込空気温度センサー、１４ａ、１４ｂ  液管温度センサー、１５ａ、１５ｂ  ガス管温度センサー、１６ａ、１６ｂ  室内制御装置、１７ａ、１７ｂ  室内送風機、１８  室外制御装置、１９  吐出圧力センサー、２０  吸入圧力センサー、２１  空調エリア、２２  天井裏、２３  設定端末、２４ａ、２４ｂ  無線計測端末、２５  親機、２６  演算機、２７  机、２８、２９  通信線、１００  監視装置、１０１  遠隔監視装置、１０２  通信手段。
【図１】
2011149615.tif 000003
【図２】
2011149615.tif 000004
【図３】
2011149615.tif 000005
【図４】
2011149615.tif 000006
【図５】
2011149615.tif 000007
【図６】
2011149615.tif 000008
【図７】
2011149615.tif 000009
【図８】
2011149615.tif 000010
【図９】
2011149615.tif 000011
【図１０】
2011149615.tif 000012
【手続補正書】
【提出日】平成22年8月23日(2010.8.23)
【手続補正１】
【補正対象書類名】明細書
【補正対象項目名】００１３
【補正方法】変更
【補正の内容】
【００１３】
なお、本実施の形態に係る空気調和機は、図１で示されるように、２台の室内機２ａ、２ｂを備えるものとしているが、これに限定されるものではなく、１台又は３台以上の室内機を備える構成としてもよい。
また、膨張弁７ａ、７ｂは本発明の「膨張装置」に相当し、吸込空気温度センサー１３ａ、１３ｂは本発明の「吸込温度検出手段」に相当し、液管温度センサー１４ａ、１４ｂは本発明の「液管温度検出手段」に相当し、そして、ガス管温度センサー１５ａ、１５ｂは本発明の「ガス管温度検出手段」に相当する。